(57)【要約】      （修正有）【課題】クリアファイルのような２辺がＬ字状に閉じられた簡単ファイルは、書類を綴じる機能が無いため開放されている２辺から書類が飛び出しやすく、またファイルしたまま書類を見る事が出来なかった。これらの欠点をクリアファイルのような１枚のシートを二つ折りにしただけの簡単ファイルで解決する。【解決手段】ほぼ方形に裁断された可撓性薄手シートを、その中央部で二つ折りとして表表紙と裏表紙となし、二つ折りにしたシートの上下辺中央折り筋側端部を書類の綴じ代分の長さで表裏シートを固着し、裏表紙の中央折り筋の反対辺近くに、中央折り筋に先端が向かうように舌状切り込み片を設けたことで解決する。【選択図】図２
2010269529.tif 000002
【特許請求の範囲】
【請求項１】
中央の折り部で二つに折られて表と裏との二つの表紙が形成される、ほぼ方形状の可撓性シートで構成され、前記表と裏の表紙の前記折り部側の上下両端部が書類の綴じ代分の長さを保持して固着され、表紙の折り部と対向する端部近傍に先端が折り部側に向かうように舌状の書類押さえ部材を設けられていることを特徴とするファイル。
【発明の詳細な説明】
【技術分野】
【０００１】
従来からあるクリアファイル等のように、シートを二つ折りにし、底辺をシールした２方が閉じられ、残りの２方が開放され、それらの間に書類等の紙葉を出し入れする簡単なファイルに関する。
【背景技術】
【０００２】
従来から、数枚から１０数枚まで位の比較的少ない枚数のバラの書類を一時的に整理保管するために、クリアファイルのような、方形のプラスチックシートを中央で二つ折りにし中央折り部に対してＬ字状に下端をシールするなどして２方を閉じただけの簡単ファイルが広く用いられてきた。書類は表裏シートの間に挟まれ、Ｌ字状の２辺の閉じ辺により支えられるだけの簡単なファイル方法ではあるが、安価で簡便なため現在も多く用いられている。しかし、書類を見るためにはいちいち一旦ファイルから全書類を取り出さねばならず、又、扱い方により閉じられていない２辺より書類が飛び出したりするなどの問題を有していた。  
【０００３】
これに対して、綴じ穴のある書類には、裏表紙の一部を爪状に切り起こして綴じ穴に挿入し綴じる（特許文献１）案が提案されているが、綴じ穴のある書類に限られる事と、底辺側からの落下防止も必要であり、上記問題点を解決するに至っていない。又、従来のＬ字状の２方が閉じられたクリアファイルに於いて、中央折り部と反対方向の開放辺に中央折り部に先端が向かう舌状切り込み片を設け、書類の飛び出し防止を計る案も提案されている（特許文献２）。しかしこの案も、残る１方の飛び出し防止がされておらず、飛び出し防止は不完全であり、書類をファイルしたまま、書類をめくり、見る事も不可能である。また、クリアファイルのようなプラスチックシートの間に書類を挟み、書類の綴じ代分を、シートの折り部側外側からシート毎長いクリップ状のもので挟む方法（特許文献３）も提案されているが、クリップ部は嵩高で本発明のような安価、手軽なファイルとはほど遠いものである。
【特許文献１】実用新案登録第３１２６７０５
【特許文献２】特開２００６−３１２２９４
【特許文献３】実開平５−２８６７７
【発明の開示】
【発明が解決しようとする課題】
【０００４】
本発明が解決しようとしている課題は、従来からある比較的少ない枚数の書類の短期保管のために用いるファイルで、クリアファイルのような方形のシートを中央で二つ折りにしたような簡単なファイルにおいても、いちいちファイルから書類を取り出さなくても書類をファイルされた状態で見られるようにするとともに、書類のファイルからの飛び出し防止機能も付与した簡単ファイルを安価に提供する事にある。
【課題を解決するための手段】
【０００５】
課題解決手段は、中央の折り部で二つに折られて表と裏との二つの表紙が形成される、ほぼ方形状の可撓性シートで構成され、前記表と裏の表紙の前記折り部側の上下両端部が書類の綴じ代分の長さを保持して固着され、表紙の折り部と対向する端部近傍に先端が折り部側に向かうように舌状の書類押さえ部材を設けられていることを特徴とするファイルとする。
【発明の効果】
【０００６】
発明の効果は次の通りである。即ち、従来の方形プラスチックシートを二つ折りし、底辺をシールして閉じただけのＬ字状に２方が閉じ、他の２方が開いた簡単ファイルでは、底が全辺にわたりシールされ閉じているためファイルした書類を見るためには、いちいちファイルから書類を取り出さねばならず、かつファイルしている状態でもファイルは２方向が開いているため、持ち運び時などで書類は飛び出しやすかった。しかし本発明によるファイルでは、書類を表裏表紙の間に書類端が中央折り部に突き当たるまで差し込み、書類をファイル裏表紙の中央折り筋の反対辺近くの舌状切り欠き５に引っかければ、書類は
二つ折りにしたシート上下辺の中央折り筋側端部に設けたシート固着部９、１０と中央折り筋４とに囲まれるポケットに書類の綴じ代分の長辺側端部が収まり、その反対長辺側は切り欠き５に差し込まれることにより、書類は完全に裏表紙に固定される。その結果、書類の飛び出しは防止され、表表紙をめくれば、書類は１枚づつ舌状切り欠き部から簡単に外す事が出来、通常の書類をめくる感覚で見る事が出来、従来のクリアファイルのような簡単な取り扱いながら欠点は改善されており大変便利である。上記効果が、従来の最も簡単なＬ字２方向閉じファイルと使用する可撓性シートの使用面積量も増えず、同じ製造ラインの簡単な手直しで済むという大きなメリットがある。それは、本発明が、従来のクリアファイルの概念を打ち破る、書類の綴じ代幅だけファイルの上下辺を閉じるという斬新な発想に基づいているからである。本来、従来のクリアファイルでは、ホチキスすらしていないバラの紙葉を仮に短期間整理、保管する役目であり、書類には綴じ穴もないか、あっても綴じ穴までは使おうとしないレベルでのファイルであったから、綴じ穴で綴じたり、ホチキスで止めていなかった。しかし紙葉には必ずある綴じ代分の余白部があり、その有効利用を考えた結果、今までにない機能を有したクリアファイルを発明するに至ったのである。本発明に用いる可撓性薄手シートはプラスチックシートに限らず紙でも可能であり、透明ではないが、書類の表紙としてみ印刷柄はプラスチックシートより楽しむことが出来、かつ上記発明効果は同じである。また、特許文献３に示すようなクリアファイルの折り部を外側から書類の綴じ代部をクリップで留めるような方式もあるが、コスト高であり、綴じ部が嵩高となるなど、本発明の方が、安価かつスマートである。
【発明を実施するための最良の形態】
【０００７】
図１〜図３に本発明の実施形態についてＡ４サイズ書類用のファイルとして説明する。図１は、二つ折りする前の本発明によるポリプロピレンシートで、厚みは０．２ｍｍである。中央に折り筋４が、裏表紙３には書類押さえ部材である舌状切り込み片５がある。表表紙２には表表紙を開きやすくするための折り筋６が設けられているが、用いるシートの厚み、剛性などにより適宜用いれば良い。
【０００８】
図２は、上記シートを二つ折りにし、上下辺の中央折り筋側端部を超音波シールし、シート固着部７、８を設ける。中央折り筋４とシート固着部７、８に囲まれたポケット９が完成する。その状態で表表紙を半開きにした図である。尚、シート固着部７、８の固着幅は、通常の書類には綴じ穴を開けられる綴じ代分の幅で、余白を設けてあるのが普通であり、大凡２ｃｍ以内が目安と思われる。本実施例でも２ｃｍの固着幅とした。
【０００９】
図３は、図２で出来たポケットに書類Ｐの綴じ代相当分の長辺端を差し込み、反対側の長辺端を舌状切り込み片５に差し込んだ状態を示している。表表紙は半開きを示している。この結果、書類Ｐはポケット９と舌状切り込み片５により完全に動きが固定され、表表紙を完全に開いた状態でも、裏表紙からどの方向にも外れる事はない。しかし、書類は、表表紙を開いたままめくれば、書類は簡単に舌状切り込み片５から外れ、めくる事が出来る。
又、書類の飛び出し方向が１方向残ってしまうが、シート固着部８は省略し、ポケットが不完全ではあるが、紙葉のファイル枚数に余裕をだすやり方もある。本発明では、便宜上、表、裏という表現は、洋式書籍、書類を念頭に使用しており、和式書籍、書類を専用とする簡単ファイルを考えるなら、表裏及び上下という表現は和式に読み直すだけの事で、本発明と別にはならに事は明らかである。  
【００１０】
尚、シート固着部７、８は超音波シールや熱融着の他に、最も簡単な方法としてはホッチキス等で留めてもよく、図４、図５で示すごとく、裏表紙に糊代１０、１１を設け、表表紙の上から上記方法で固定する方法も可能である。糊代は表裏を逆にしても勿論問題ない。また、書類押さえ部材である舌状切り込み片５は、図６に示す如く、裏表紙３に舌状切り出し片５ａのように裏表紙を飛び出して設け、図７に示す如く、裏表紙の上に舌状切り出し片５ｂとして固着し、書類押さえ部としても良い。勿論、別部材を持ってきて貼り付けることも可能である。
【図面の簡単な説明】
【００１１】
【図１】ファイル展開平面図１
【図２】二つ折り表表紙半開き図１
【図３】書類挿入表表紙半開き図
【図４】ファイル展開平面図２
【図５】二つ折り表表紙半開き図２
【図６】ファイル展開平面図３
【図７】舌状切り出し片折り畳み図
【符号の説明】
【００１２】
１              ファイル
２              表表紙
３              裏表紙
４              中央折り筋
５              舌状切り込み片（書類押さえ部材）
５ａ            舌状切り出し片（書類押さえ部材）
５ｂ            舌状切り出し片固着部  
６              表表紙折り筋
７、１０        下部シート固着部
８、１１        上部シート固着部
９              ポケット
【図１】
2010269529.tif 000003
【図２】
2010269529.tif 000004
【図３】
2010269529.tif 000005
【図４】
2010269529.tif 000006
【図５】
2010269529.tif 000007
【図６】
2010269529.tif 000008
【図７】
2010269529.tif 000009